(57)【要約】【課題】特定の観者に対して詳細な情報を示した画像を表示できると共に、他の観者に対しては当該画像が見えにくいものとする。【解決手段】商品４を載置可能な載置台６１，６２，６３と、載置台６１，６２，６３に隣接して配置され、裏面側からプロジェクタ画像が投影され、表面に情報表示画像が表示される透過型のスクリーン７１，７２，７３と、入力された表示画像データに基づいてプロジェクタ画像を投影するプロジェクタ２００と、を備え、スクリーン７１には、その表示面が他のスクリーンの表示面より奥側に配置される奥側スクリーン７１ｃを設け、この奥側スクリーン７１ｃに商品４の詳細な情報を遷移する画像として表示する。【選択図】図１
2008206551.tif 000002
【特許請求の範囲】
【請求項１】
品物を載置可能な載置台と、
入力された表示画像データに基づいてプロジェクタ画像を投影するプロジェクタと、
前記載置台に隣接して配置され、裏面側からプロジェクタ画像が投影されると共に、少なくとも一部にその表示面が他のスクリーンの表示面より奥側に配置され表面に情報表示画像が表示される奥側表示面を備えるスクリーンと、
を備えることを特徴とする陳列棚。
【請求項２】
前記スクリーンは上下方向に複数設けられ、前記奥側表示面は複数段設けられたスクリーンの少なくとも一つに配置されていることを特徴とする請求項１記載の陳列棚。
【請求項３】
１段のスクリーンには、一又は複数の奥側表示面が形成されていることを特徴とする請求項１又は２記載の陳列棚。
【請求項４】
品物を載置可能であって異なる高さ位置に配置された複数の載置台と、
前記載置台の上段の載置台又は上段に配置される部材に取り付けられて、載置台の前方上側に配置され、後方である裏面側から投影された画像を表面側に透過投影可能であり、表面に情報表示画像が表示されると共に、少なくとも一部にその表示面が他のスクリーンの表示面より奥側に配置され表面に情報表示画像が表示される奥側表示面を備える透過型スクリーンと、
プロジェクタ設置部に配置され、一画面で構成されたプロジェクタ画像を投影するプロジェクタと、
前記複数の載置台の後側に配置され、前記プロジェクタからのプロジェクタ画像を略鉛
直方向に導くよう確保された鉛直投影領域と、
前記鉛直投影領域における前記複数の透過型スクリーンの設置の高さ位置に対応した高
さ位置に配置され、プロジェクタが投影する一画面のプロジェクタ画像の一部をなす分割
プロジェクタ画像を分離すると共に、この分割プロジェクタ画像を略水平方向に向け投影
するように偏向する複数の反射装置と、
各載置台の上側であって前記反射装置と前記透過型スクリーンとの間配置され、前記各
分割プロジェクタ画像を水平方向に導き前記透過型スクリーンに投射するよう確保された
複数の画像水平投影領域と、を備える陳列棚。
【請求項５】
外部からの操作に基づき前記奥側表示面に表示される奥側プロジェクタ画像の表示切替を指示する指示信号を発生する切替指示装置と、
前記奥側プロジェクタ画像の画像情報を格納する奥側画像格納部と、
前記切替指示装置からの指示信号に基づいて、前記プロジェクタに前記奥側画像格納部が格納した画像情報から奥側プロジェクタ画像を選択して表示させる画像表示制御部と、
を備えたことを特徴とする請求項１乃至４のいずれか記載の陳列棚。
【請求項６】
前記切替指示装置は、陳列棚に陳列されている品物を特定する情報を入力できるものであり、
前記奥側画像格納部は、少なくとも前記陳列棚に陳列されている品物に関する画像情報を格納しており、
前記画像表示制御部は、プロジェクタに奥側プロジェクタ画像として奥側画像格納部が格納した画像情報のうち前記特定された品物に関する画像情報を表示させるものであることを特徴とする請求項５記載の陳列棚。
【請求項７】
前記切替指示装置は、前記奥側表示部の表示の遷移状態を指示できるものであり、
前記奥側画像格納部は、遷移可能な一連の画像情報を格納しており、
前記画像表示制御部は、プロジェクタに奥側プロジェクタ画像として前記奥側画像格納部が格納した画像情報から前記切替指示装置の指示に応じて選択された画像情報を遷移させて表示させるものであることを特徴とする請求項５又は６記載の陳列棚。
【請求項８】
前記切替指示装置は、前記品物に表示されたバーコードを読み取るバーコード読取装置を備えることを特徴とする請求項６又は７記載の陳列棚。
【請求項９】
前記切替指示装置は、品物に配置されたＲＦＩＤタグを読み取るＲＦＩＤ読取装置を備えることを特徴とする請求項６又は７記載の陳列棚。
【請求項１０】
前記切替指示装置は、タッチパネルスイッチを備えることを特徴とする請求項６乃至９のいずれか記載の陳列棚。
【発明の詳細な説明】
【技術分野】
【０００１】
本発明は、陳列棚に係り、特に品物を載置可能な載置台と、前記載置台に隣接して配置され、裏面側からプロジェクタ画像が投影され、表面に情報表示画像が表示される透過型のスクリーンと、入力された表示画像データに基づいて前記プロジェクタ画像を投影するプロジェクタと、を備える陳列棚に関する。
【背景技術】
【０００２】
従来、品物を陳列する陳列棚は、代表的には小売業の店舗、例えばスーパーマーケットやコンビニエンスストア、ホームセンター、デパート内の各種商品の売場等で広く用いられている。小売業の店舗では、陳列棚に品物として商品を陳列し、陳列する商品に対応付けて棚札が付けられる。この棚札は、対応付けられる商品の価格やその他の情報を顧客に示すことを目的としている。このような棚札として電子棚札が開発されている（特許文献１、特許文献２参照）。例えば、特許文献１の図６には、例えば液晶パネルや有機ＥＬパネル等によって棚札表示を行う陳列棚が開示されている。
【０００３】
小売行の店舗で用いられる陳列棚は、商品を陳列し、棚札や電子棚札を用いて陳列した商品の価格やその他の情報を示すことが主要な用途としている。これに対して、陳列棚に陳列した商品を顧客である観者に注目させ、より多くの購買につなげる手法として、ＰＯＰ広告（Ｐｏｉｎｔ  ｏｆ  Ｐｕｒｃｈａｓｅ）という手法が従来多く用いられている。特許文献３には、陳列棚の天壁にプロジェクタとこのプロジェクタからの投影画像を透過投影するスクリーンとを設けた陳列棚（特許文献３ではショーケース）が開示されている。
【０００４】
このような技術を採用することで、通常は紙などの記録媒体に印刷されるＰＯＰ広告の取付作業を行うことなく、スクリーンに透過投影するプロジェクタ画像により、陳列棚に陳列された商品の展示効果を高めることができる.
【特許文献１】特開２００５−０９９８８８公報
【特許文献２】特開平７−１７６０８号公報
【特許文献３】特開２００１―２４５７５６号公報
【発明の開示】
【発明が解決しようとする課題】
【０００５】
ところで、特許文献１に開示されている電子棚札や、特許文献２に開示されている電子ラベルシステム、及び、特許文献３に開示されている陳列棚では、値段や広告の表示が平面で構成された表示画面に表される。このため、周囲にいる観者は表示画面に表示される同じ画像を観察することになる。
【０００６】
しかしながら、表示画面に全ての観者に対して表示される画像の他に、特定の観者に対する画像を表示することが要望されることがある。この個別の表示としては、例えば商品棚に陳列されている商品のうち、観者が関心を示した特定の商品について更に詳しい情報を示したものが一例として挙げられる。
【０００７】
例えば商品が薬品である場合には、観者はその薬品の特徴、効能、注意事項などについて更に詳しい情報を求めている。このため、陳列棚の表示画像に薬品の詳細な情報を表示させることが望ましい。
【０００８】
しかし、前述した詳細な表示を通常の価格や広告の表示に加えて表示するためには、表示画面を大きくするか、表示する画像、文字等を小さく表示しなければならず、観者にとって見にくいものとなってしまう。また、このように商品の詳細表示が他の観者の目に触れる状態で表示すると、当該詳細な情報に関心を持ったことが第三者に分かってしまい、当該観者のプライバシー保護が図れなくなるという問題がある。
【０００９】
そこで、本発明は、特定の観者に対して詳細な情報を示した画像を表示できると共に、他の観者に対しては当該画像が見えにくいものとできる陳列棚を提供することを課題とする。
【課題を解決するための手段】
【００１０】
本発明において上記の課題を解決するための手段は、品物を載置可能な載置台と、入力された表示画像データに基づいてプロジェクタ画像を投影するプロジェクタと、前記載置台に隣接して配置され、裏面側からプロジェクタ画像が投影されると共に、少なくとも一部にその表示面が他のスクリーンの表示面より奥側に配置され表面に情報表示画像が表示される奥側表示面を備えるスクリーンと、を備えることを特徴とする陳列棚である。
【発明の効果】
【００１１】
本発明によれば、陳列棚のスクリーンには少なくとも一部にその表示面が他のスクリーンの表示面より奥側に配置される奥側表示面を備えているから、この奥側表示面に表示された画像は、この奥側表示面は正面に位置する観者にしか見えず、奥側表示面の横側に位置する他の観者からは他のスクリーンに隠されて観察できないため、特定の観者に対して詳細な情報を表示した画像を表示でき、特定の観者のプライバシーを保護できる。
【発明を実施するための最良の形態】
【００１２】
以下本発明に係る陳列棚の実施の形態例を図１乃至図９に基づいて説明する。以下本実施の形態例の説明では、スーパーマーケットに配置された陳列棚システムについて説明する。
【００１３】
図１は陳列棚の概略構成を示す斜視図、図２は陳列棚の構成を示す図１中のＡ−Ａ線に相当する断面模式図、図３は陳列棚の構成を示す図２中のＢ−Ｂ線に相当する断面模式図である。
【００１４】
陳列棚システム１０は、内部にプロジェクタ２００を備えて店舗内に設置される陳列棚１００と、バックヤード２０に配置される画像表示制御用のコンピュータ３００とから構成されている。プロジェクタ２００とコンピュータ３００とは、接続回線４０１を介して接続されている。また、陳列棚１００には、切替指示装置として、品物である商品４に配置されたＲＦＩＤタグを読み取る公知のＲＦＩＤ（Ｒａｄｉｏ  Ｆｒｅｑｕｅｎｃｙ  ＩＤｅｎｔｉｆｉｃａｔｉｏｎ）読取装置１８１と、外部からの操作により入力指示ができる液晶タッチパネル１８２とが配置されている。ＲＦＩＤ読取装置１８１及び液晶タッチパネル１８２は、コンピュータ３００に接続回線４０２及び接続回線４０３を介して接続されている。
【００１５】
陳列棚１００は、一対の側板１１１，１１２と、この側板１１１，１１２に挟まれる天井板１２０、背板１３１、底板１３２及び下部前板１３３とで構成される。
【００１６】
天井板１２０は、陳列棚１００の最上部で前記側板１１１，１１２に挟まれ、陳列棚１００の上部を覆うように水平となるよう固定されている。
【００１７】
また、前記天井板１２０は、その前縁部に前側から奥側に向け形成された３つの辺１２１ａ、１２１ｂ、１２１ｃを備える切欠凹部１２１を形成して、全体略凹字形状に形成されている。従って、天井板１２０は、その前縁が、前記側板１１１，１１２に隣接し、最も手前側に位置する直線状の両端部１２０ａ，１２０ｂと、前記切欠凹部１２１の縁部をなす２つの側辺１２１ａ，１２１ｃ及び底辺１２１ｂと、を備える。
【００１８】
背板１３１は、陳列棚１００の背面に、下辺を底板１３２に接し、上辺を前記天井板１２０に接続して、前記側板１１１，１１２に挟まれて鉛直に固定されている。下部前板１３３は、陳列棚１００の前面の下方に、前記一対の側板１１１，１１２に挟まれて下辺を底板１３２に接して、鉛直になるよう固定されている。
【００１９】
そして、陳列棚１００は、前記側板１１１，１１２の間に形成され、プロジェクタ２００が配置される直方体形状の下部空間部１４０と、この下部空間部１４０の上方奥側に配置され、前記プロジェクタ２００からのプロジェクタ画像が上方に向け投影される立方体形状の画像投影空間部１５０とを備えて形成されている。
【００２０】
また、陳列棚１００は、３段の載置台６１，６２，６３、即ち、上段載置台６１、中段載置台６２、下段載置台６３を備えている。各載置台６１，６２，６３はそれぞれ前記側板１１１，１１２に挟まれて水平になるよう固定され、上部に商品４を載置できる載置空間５１，５２，５３が形成される。ここで、各載置台６１，６２，６３は、略長方形状をなし、その前縁は背板１３１に対して平行となるように配置されている。
【００２１】
陳列棚１００には、前記画像投影空間部１５０の前方に位置し、画像投影空間部１５０から前側に突出配置された上段スクリーン７１、中段スクリーン７２、下段スクリーン７３からなる３段のスクリーン７１，７２，７３を備えている。
【００２２】
ここで、上段スクリーン７１、中段スクリーン７２、下段スクリーン７３は、例えばポリカーボネート等の合成樹脂で形成され、裏面側から投影されるプロジェクタ画像を表面に透過投影可能な透過型のものである。
【００２３】
上段スクリーン７１は、前記天井板１２０の下方に垂下して配置されており、前記天井板１２０の前縁１２０ａ，１２０ｂ及び切欠凹部１２１の辺１２１ａ，１２１ｂ，１２１ｃに沿う形状に屈曲形成され、その中央部が奥側に引き込まれた凹部をなすよう形成されている。即ち、上段スクリーン７１は、前記前縁１２０ａ，１２０ｂから垂下される端部スクリーン７１ａ、７１ｅ、前記切欠凹部１２１の側辺１２１ａ，１２１ｃから垂下される側辺スクリーン７１ｂ，７１ｄ、及び、最も奥側に配置される奥側表示面である奥側スクリーン７１ｃとから構成されている。
【００２４】
また、中段スクリーン７２及び下段スクリーン７３はそれぞれ平面状をなし、中段スクリーン７２は上段の載置台６１に垂下され、下段スクリーン７３は中段の載置台６２に垂下されている。
【００２５】
各載置空間５１，５２，５３の上方には、天板８１，８２，８３が配置される他、載置空間５１，５２，５３の奥側には奥板９１，９２，９３が配置されている。そして、前記天板８１と天井板１２０との間には、プロジェクタ２００からの投射光が通過する投影空間１６１が、天板８２と載置台６１との間には投影空間１６２が、天板８３と載置台６２との間には投影空間１６３が形成されている。
【００２６】
陳列棚１００の下部空間部１４０内には、プロジェクタ２００が配置されるプロジェクタ設置部１４１が設けられている。プロジェクタ設置部１４１に配置されるプロジェクタ２００は、レンズ２０１から前記上段スクリーン７１、中段スクリーン７２、下段スクリーン７３に向けて例えば液晶表示パネル２０２に一画面で構成されたプロジェクタ画像を投射する、液晶プロジェクタが採用される。
【００２７】
前記画像投影空間部１５０には、プロジェクタ２００から水平方向に投影されるプロジェクタ画像を上方に向け反射する主反射鏡２１０と、主反射鏡２１０で反射されたプロジェクタ画像を前記３つの投影空間１６１，１６２，１６３に向け反射する３つの投影鏡２４１，２４２，２４３が配置されている。主反射鏡２１０及び投影鏡２４１，２４２，２４３はいずれも、プロジェクタ画像を反射する鏡面を一方の面に備える平面鏡として構成される。
【００２８】
主反射鏡２１０は、陳列棚１００の画像投影空間部１５０の下部でプロジェクタ２００のレンズ２０１の高さに配置され、プロジェクタ２００から陳列棚１００の後方に向けて水平方向に投射されるプロジェクタ画像を、上方向に偏向させる向きに配置されている。
【００２９】
投影鏡２４１，２４２，２４３は、陳列棚１００の画像投影空間部１５０で主反射鏡２１０の上方に、上段スクリーン７１、中段スクリーン７２、下段スクリーン７３に対応付けて配置されている。これらの投影鏡２４１，２４２，２４３はその上端を対応するスクリーン７１，７２，７３の上縁部の高さ位置に合わせ、プロジェクタ画像をスクリーン７１，７２，７３の裏面側に投影する向きに配置されている。即ち、投影鏡２４１はプロジェクタ画像を上段スクリーン７１の裏面側に投影する向きに、投影鏡２４２はプロジェクタ画像を中段スクリーン７２の裏面側に投影する向きに、投影鏡２４３はプロジェクタ画像を下段スクリーン７３の裏面側に投影する向きに、それぞれ配置される。そして、投影鏡２４１，２４２，２４３はそれぞれ、陳列棚１００の前後方向に位置を違えて、主反射鏡２１０によって偏向され下方から入射されるプロジェクタ画像を互いに遮らない位置関係に配置されている。
【００３０】
以上のような位置関係に配置された主反射鏡２１０及び投影鏡２４１，２４２，２４３で構成される光学系によって、プロジェクタ２００から投影されたプロジェクタ画像は、個々のスクリーン７１，７２，７３の裏面側に分割して導かれる。そして、陳列棚１００では、以下のような画像が表示される。
【００３１】
即ち、陳列棚システム１０では、コンピュータ３００で作製された表示画像データをプロジェクタ２００に接続回線４０１を経由して送信され、プロジェクタ２００内に配置された画像メモリに格納され、その内容がプロジェクタ画像として投影される。
【００３２】
プロジェクタ２００は、コンピュータ３００から送信された画像データを受信し、受信した画像データに基づいて一画面で構成されたプロジェクタ画像を生成し、生成したプロジェクタ画像をスクリーン７１，７２，７３に投影する。
【００３３】
コンピュータ３００は、処理ソフトウエアを実行し、キーボード３０３、マウス３０４の操作により、プロジェクタ２００が投影する画像を作成する。この画像は、ディスプレイ３０２に表示され、表示画像はそのままプロジェクタ２００が投影する画像となる。
【００３４】
本例では、プロジェクタ２００の液晶表示パネル２０２からの投影光がスクリーン７１，７２，７３に合焦した像を結像するように位置が決定されている。ここで、スクリーン７１には、奥側スクリーン７１ｃが形成され屈曲されている他、各スクリーン７１，７２，７３は、プロジェクタ２００と必ずしも同一の距離に配置されておらず、各スクリーン７１，７２，７３に正確に合焦した像は結像されないが、プロジェクタ２００の焦点深度が深いため、スクリーン７１，７２，７３にはプロジェクタ像が視認可能な状態で表示される。
【００３５】
本例では、スクリーン７１，７２，７３には次のような画像が表示される。図４は陳列棚のスクリーンに表示される画像を示す模式図である。スクリーン７１には固定画像と遷移画像とが表示され、中段スクリーン７２及び下段スクリーン７３には固定画像が表示される。ここで固定画像は、商品の名称、価格等の商品情報であり商品の入替、定価の変更などがない限り固定した内容のものとして表示される。また、遷移画像は、例えばＲＦＩＤ読取装置１８１や液晶タッチパネル１８２からの指示により表示内容が順次変更されるものであり、例えば商品の説明を順次詳細に説明した画像である。
【００３６】
即ち、スクリーン７１の端部スクリーン７１ａ、側辺スクリーン７１ｂ，７１ｄ、端部スクリーン７１ｅには例えば載置空間５１に配置された商品の名称、価格等の商品情報を表示した固定画像である「○○○○」の表示１９１ａ、「××」の表示１９１ｂ、「××」の表示１９１ｄ、「△△△△」の表示１９１ｅが投影される。ただし、これらの表示内容、表示位置等は商品の入替定価の変更などに伴いコンピュータ３００の処理によりプロジェクタ画像を変更することにより変更される。
【００３７】
同様にスクリーン７２には、固定画像として、例えば載置空間５２に配置された商品の名称、価格等の商品情報「○○○○」の表示１９２ａ、「××××」の表示１９２ｂ、「△△△△」の表示１９２ｃが表示され、スクリーン７３には、同じく固定画像として、例えば載置空間５３に配置された商品の名称、価格等の商品情報「□□□□」の表示１９３ａ、「○○○○」の表示１９３ｂ、「××××」の表示１９３ｃが表示される。
【００３８】
上述のように本例では、奥側スクリーン７１ｃには奥側画像として遷移画像１９１ｃが表示される。この遷移画像１９１ｃは、上述したＲＦＩＤ読取装置１８１、液晶タッチパネル１８２の指示に従っての表示内容が順次変更される。この表示内容としては、商品４の説明を行うことが好適であり、紹介する商品４に関する説明を詳しくして表示することができる。
【００３９】
これらの固定画像である表示１９１ａ，１９１ｂ，１９１ｄ，１９１ｅ、表示１９２ａ，１９２ｂ，１９２ｃ、表示１９３ａ，１９３ｂ，１９３ｃ及び遷移画像１９１ｃはコンピュータ３００の制御に基づいてプロジェクタ２００からプロジェクタ画像として各スクリーンに投影される。
【００４０】
コンピュータ３００は、その外観態様として、本体装置３０１、ディスプレイ３０２、キーボード３０３、及びポインティングデバイスであるマウス３０４を備えて構成され、プロジェクタ２００が投射するプロジェクタ画像の画像データを管理し、陳列棚の表示制御を行う。
【００４１】
次に陳列棚のスクリーンへの表示制御について説明する。図５は陳列棚システムの電気的構成を示すブロック図、図６は陳列棚システムの構成を示す機能ブロック図、図７は遷移画像データベースが格納する画像データの内容を示す模式図、図８は陳列棚の制御の手順を示すフローチャートである。
【００４２】
コンピュータ３００は、図５に示すように、ＣＰＵ４１１と、固定データを格納したＲＯＭ４１２と、処理プログラムを一時的に格納すると共にワークエリアとなるＲＡＭ４１３と、ＯＳや処理プログラム、データベース等を格納したハードディスクドライブ（ＨＤＤ）４１４をバスライン４１５で接続して構成している。また、表示制御部４１０は、ＣＤ-ＲＯＭドライブ４１６、前記ディスプレイ３０２、キーボード３０３、マウス３０４を図示しないインタフェースを介してバスライン４１５に接続して備えている。更に、バスライン４１５には、通信装置４１７を接続しており、通信装置４１７には、前記プロジェクタ２００、ＲＦＩＤ読取装置１８１、液晶タッチパネル１８２が接続回線４０１，４０２，４０３を介して接続されている。
【００４３】
ここで、ＲＦＩＤ読取装置１８１は公知であり、商品４に設置したＲＦＩＤタグから電磁界や電波などを用いた近距離の無線通信によってＩＤ情報や情報を取得する。また液晶タッチパネル１８２は公知であり、液晶パネルに情報を表示すると共に、観者がその表面に接触することによりコンピュータ３００に指示を送る。
【００４４】
ＲＦＩＤ読取装置１８１は、ＲＡＩＤタグが設置された商品４がかざされると、商品４のＩＤ情報を取得し、コンピュータ３００に送信する。また、液晶タッチパネル１８２は、観者の指での接触により、コンピュータ３００に奥側スクリーン７１ｃへの遷移画像の表示を要求したり、遷移画像の進行、退行、表示の停止を命じる指示を送信したりする。
【００４５】
本例では、コンピュータ３００は、ＣＰＵ４１１で、処理プログラムを実行することにより、表示制御部４１０の機能を実現する。そして、表示制御部４１０は、図６に示すように、画像表示制御部５１０、固定画像生成部５２０、遷移画像生成部５４０を備える。また、ＨＤＤ４１４には固定画像データベース５３０及び遷移画像データベース５５０が格納されている。
【００４６】
固定画像データベース５３０には、上段スクリーン７１の端部スクリーン７１ａ、７１ｅ、側辺スクリーン７１ｂ，７１ｄ、中段スクリーン７２、及び下段スクリーン７３に表示する固定画像の画像データが格納されている。これらの画像は陳列される商品４の名称価格等の商品情報である。これらの画像データは、コンピュータ３００で処理プログラムを実行してディスプレイ３０２で確認しながらキーボード３０３及びマウス３０４を操作して作成することができる他、商品４のメーカが提供するものを採用することができる。
【００４７】
また、遷移画像データベース５５０には、奥側スクリーン７１ｃに表示する遷移画像の画像データが格納されている。この表示内容としては、商品４の説明とすることが好適であり、紹介する商品４に関する説明を詳しくすることができる。
【００４８】
遷移画像として具体的には、図７に示すような画像を表示する。即ち、商品が風邪薬である場合には、第１画面として外観の表示画像６１０（図７（ａ））、第２画面として商品の特長の記述６２０（同図（ｂ））、第３画面として成分の表示６３０（同図（ｃ）参照）、第４画面として注意事項の記述等６４０（同図（ｄ）が順次表示できるよう格納されている。遷移画像は例えば陳列棚システム１０に陳列される商品４のうち所定のものについて格納されている。また、遷移画像データベース５５０に格納する画像データは、コンピュータ３００で処理プログラムを実行してディスプレイ３０２で確認しながらキーボード３０３及びマウス３０４を操作して作成することができる他、商品４のメーカが提供するものを採用することができる。
【００４９】
固定画像生成部５２０は、バックヤード２０におけるオペレータのキーボード３０３、マウス３０４の操作による画像表示制御部５１０の制御により、固定画像データベース５３０から所定の固定画像データを取得し出力する。遷移画像生成部５４０は、陳列棚１００のＲＦＩＤ読取装置１８１及び液晶タッチパネル１８２からの入力による画像表示制御部５１０の制御により、遷移画像データベース５５０から所定の遷移画像データを取得し、その画像を進行、退行させて出力する。
【００５０】
また、画像表示制御部５１０は、固定画像生成部５２０からの固定画像データと、遷移画像生成部５４０からの遷移画像データとを合成して生成したプロジェクタ画像データを通信装置４１７を介してプロジェクタ２００に送出する。プロジェクタ２００は、この画像データに基づいてプロジェクタ画像を投影する。
【００５１】
次に制御部の動作について説明する。図８は陳列棚の動作を示すフローチャートである。常時、陳列棚１００の上段スクリーン７１、端部スクリーン７１ａ、７１ｅ並びに側辺スクリーン７１ｂ，７１ｄ、及び、中段スクリーン７２、下段スクリーン７３には、プロジェクタ２００から、固定画像データベース５３０に格納された固定画像のうち所定の画像が表示されている。また、奥側スクリーン７１ｃには、遷移画像の初期画像、例えばＲＦＩＤ読取装置１８１に商品４をかざすよう促す表示がなされている（ステップＳＴ１）。
【００５２】
観者４１（図９参照）が陳列棚１００の前に立ち、商品４を手に取り、ＲＦＩＤ読取装置１８１にかざすと、画像表示制御部５１０は、ＲＦＩＤ読取装置１８１に商品４のＩＣタグから商品４の商品ＩＤを取得する（ステップＳＴ２）。
【００５３】
液晶タッチパネル１８２からの遷移画像への移行要求があると（ステップＳＴ３）、画像表示制御部５１０は遷移画像生成部５４０に遷移画像データベース５５０からＩＤが取得された商品４に関する遷移データを取得させ（ステップＳＴ４）、遷移画像の最初の画面を遷移画像１９１ｃとして固定画像（表示１９１ａ，１９１ｂ，１９１ｄ，１９１ｅ：図４参照）に合成して、上段スクリーン７１に表示すべき画像を作成する（ステップＳＴ５）。これにより、プロジェクタ２００は、上段スクリーン７１の端部スクリーン７１ａ、７１ｅ、側辺スクリーン７１ｂ，７１ｄに固定画像である表示１９１ａ，１９１ｂ，１９１ｄ，１９１ｅを、奥側スクリーン７１ｃに遷移画像１９１ｃとして商品情報を表示する。なお、本例では、中段スクリーン７２には固定画像である表示１９２ａ，１９２ｂ，１９２ｃが、下段スクリーン７３には、固定画像である表示１９３ａ，１９３ｂ，１９３ｃが表示される。
【００５４】
そして液晶タッチパネル１８２からの次画面（又は前画面）の要求があれば、ステップＳＴ４、ステップＳＴ５を繰り返し当該遷移画像を遷移画像１９１ｃとして奥側スクリーン７１ｃに表示する。この処理を液晶タッチパネル１８２からの表示終了指示があるまで繰り返す。
【００５５】
本実施の形態例によれば、陳列棚１００の奥側スクリーン７１ｃに遷移画像１９１ｃが表示され、観者４１は所望の商品４の詳細な商品情報を確認することができる。そして、このとき、図９に示すように、矢印Ａで示す観者４１の観察方向以外の方向（矢印Ｂ，Ｃ）からは、奥側スクリーン７１ｃは端部スクリーン７１ａ、７１ｅの陰となって見えることがないので、観者４１がどのような商品４に関心があったかという観者４１のプライバシーは保護できることになる。
【００５６】
尚、上記例では、陳列棚システムにおいて、コンピュータをバックヤードに配置するものとして説明したが、コンピュータを陳列棚の内部に設けることができる。この場合、陳列棚に内蔵したコンピュータには画像データを内蔵させておくことができ、コンピュータによる表示画面を外部のコントロール用のコンピュータ等の装置で制御することができる。
【００５７】
また、上記実施例では、上段スクリーンにだけ奥側スクリーンを形成するものとして説明したが、奥側スクリーンはどの段のスクリーンに設けてもよい。
【００５８】
そして、奥側スクリーンの形状は上記例に限らず適宜変更できる。図１０は他の例に係る陳列棚を示すものである。図１０（ａ），（ｂ）には陳列棚の１段分のスクリーンを模式的に示している。また、本例では陳列棚は、スクリーンの形状以外は、上述した陳列棚と同様の構成を備えるものである。
【００５９】
図１０（ａ）に示した例では、スクリーン７１０の両端に突出部７２１，７２２を備え、突出部７２１の両側に外側スクリーン７１１及び内側スクリーン７１２を、突出部７２２の両側に内側スクリーン７１４及び外側スクリーン７１５を配置すると共に、内側スクリーン７１２と内側スクリーン７１４の間に奥側表示面として奥側スクリーン７１３を配置したものである。
【００６０】
本例によれば、奥側スクリーン７１３に遷移画面を表示することにより上記実施の形態と同様、観者のプライバシーを保護しつつ、観者に遷移画面を表示できる。また本例では、外側スクリーン７１１及び外側スクリーン７１５を配置しているので、陳列棚の側方に位置する観者から画像を見やすく表示することができる（図１０(ａ)中矢印Ｄ，Ｅ）。
【００６１】
図１０（ｂ）に示した例は、スクリーン７５０の両端に側部突出部７６１，７６３を、中央部に中央突出部７６２を備えるものとし、側部突出部７６１の前面に前側スクリーン７５１を、中央突出部７６２の前面に前側スクリーン７５５を、側部突出部７６３の前面に前側スクリーン７５９を形成し、側部突出部７６１と中央突出部７６２の間に側部スクリーン７５２，７５４、奥側表示面である奥側スクリーン７５３を配置し、更に、中央突出部７６２と側部突出部７６３との間に、側部スクリーン７５６，７５７、奥側表示面である奥側スクリーン７５７を配置するものとしている。
【００６２】
本例によれば、２個所の奥側スクリーン７５３，７５７において、観者に遷移画面を表示することができる。
【図面の簡単な説明】
【００６３】
【図１】陳列棚の概略構成を示す斜視図である。
【図２】陳列棚の構成を示す図１中のＡ−Ａ線に相当する断面模式図である。
【図３】陳列棚の構成を示す図２中のＢ−Ｂ線に相当する断面模式図である。
【図４】陳列棚のスクリーンに表示される画像を示す模式図である。
【図５】陳列棚システムの電気的構成を示すブロック図である。
【図６】陳列棚システムの構成を示す機能ブロック図である。
【図７】遷移画像データベースが格納する画像データの内容を示す模式図である。
【図８】陳列棚の制御の手順を示すフローチャートである。
【図９】陳列棚の使用状態を示す斜視図である。
【図１０】陳列棚の変形例を示す斜視模式図である。
【符号の説明】
【００６４】
４…商品、４１…観者、５１，５２，５３…載置空間、６１，６２，６３…載置台、７１，７２，７３…スクリーン、７１ｃ…奥側スクリーン（奥側表示面）、１９１ｃ…遷移画像、１８１…ＲＦＩＤ読取装置（切替指示装置）、１８２…液晶タッチパネル（切替指示装置）
【図１】
2008206551.tif 000003
【図２】
2008206551.tif 000004
【図３】
2008206551.tif 000005
【図４】
2008206551.tif 000006
【図５】
2008206551.tif 000007
【図６】
2008206551.tif 000008
【図７】
2008206551.tif 000009
【図８】
2008206551.tif 000010
【図９】
2008206551.tif 000011
【図１０】
2008206551.tif 000012